(57)【要約】      （修正有）【課題】オーバドライブ回路の簡易化を図る。【解決手段】ルックアップテーブルを用いて、画像データを１フレーム前の明るさ情報データと比較して、結果的に液晶の応答を加速するための応答補償データに基づいた階調電圧を先駆選択期間に各画素に供給し、１フレーム期間より短い補正期間を経て画像データに基づいた階調電圧を本選択期間に各画素に供給する。【選択図】図１
2007316380.tif 000002
【特許請求の範囲】
【請求項１】
複数の画素を有する電気光学装置であって、
供給された画像データと、当該画像データよりも１フレーム前の画像データとに対応し
て応答補償データを記憶するルックアップテーブルと、
前記画像データで指定される階調データとしての第１の画素信号と、前記応答補償デー
タである第２の画素信号とを切り替えて出力する画像データ切り替え回路と、
を有し、
前記画素に前記第１の画素信号を供給されるフレーム期間以前のフレーム期間における
所定の期間において前記第２の画素信号が供給される
ことを特徴とする電気光学装置。
【請求項２】
前記画像データ切り替え回路は、
前記フレーム期間において１水平走査期間を２つに分割した一方の選択期間において、
前記第１の画像信号を出力し、他方の選択期間において前記第２の画像信号を出力するこ
とを特徴とする請求項１に記載の電気光学装置。
【請求項３】
前記画像データ切り替え回路は、
前記フレーム期間中において、前記一方の選択期間に前記第１の画像信号を出力した後
に、前記他方の選択期間において前記第２の画像信号を出力することを特徴とする請求項
２に記載の電気光学装置。
【請求項４】
複数の画素と、供給された画像データと、当該画像データよりも１フレーム前の画像デ
ータとに対応して応答補償データを生成するルックアップテーブルと、を有する電気光学
装置の駆動方法であって、
前記画像データで指定される階調データとしての第１の画素信号と、前記応答補償デー
タである第２の画素信号とを切り替えて出力し、
前記画素に前記第１の画素信号を供給されるフレーム期間以前のフレーム期間における
所定の期間において前記第２の画素信号を供給する
ことを特徴とする電気光学装置の駆動方法。
【請求項５】
前記フレーム期間において１水平走査期間を２つに分割した一方の選択期間において、
前記第１の画像信号を出力し、他方の選択期間において前記第２の画像信号を出力するこ
とを特徴とする請求項４に記載の電気光学装置の駆動方法。
【請求項６】
前記フレーム期間中において、前記一方の選択期間に前記第１の画像信号を出力した後
に、前記他方の選択期間において前記第２の画像信号を出力することを特徴とする請求項
５に記載の電気光学装置の駆動方法。
【請求項７】
請求項１乃至３のいずれか１項に記載の電気光学装置を有することを特徴とする電子機
器。
【発明の詳細な説明】
【技術分野】
【０００１】
本発明は、いわゆるオーバードライブを行う構成の簡易化に寄与する技術に関する。
【背景技術】
【０００２】
電気光学材料、特に液晶は、電気的な変化に対する光学的な応答速度が低い。このため
、液晶の電気光学的な変化を用いて表示を行う電気光学装置では、ＣＲＴなどの他の表示
装置と比較して、動画の表示特性が悪い、という問題が指摘されている。そこで、画像デ
ータで指定される階調（電圧）を、ルックアップテーブルを用い、１フレーム前の画像デ
ータで指定される階調で応答補償を行うという、いわゆるオーバードライブと呼ばれる技
術が提案されている（特許文献１参照）。
【０００３】
また、この応答速度（応答性）は温度に大きく依存するので、温度区分に対応するルッ
クアップテーブルを複数用意しておく一方、検出した温度に対応するルックアップテーブ
ルを１つ選択して、オーバードライブを実行する技術も提案されている（特許文献２参照
）。
【０００４】
【特許文献１】特開２００１−２６５２９８号公報
【特許文献２】特開２００４−１３３１５９号公報
【発明の開示】
【発明が解決しようとする課題】
【０００５】
しかしながら、複数のルックアップテーブルを用いる構成では、ルックアップテーブル
に要するメモリ容量が大きくなって回路が大規模化する。このため、温度が大きく変化す
るとともに小型軽量化が要求される携帯機器においては、適用が困難である、という問題
があった。
【０００６】
本発明は上述した事情に鑑みてなされたもので、その目的とするところは、ルックアッ
プテーブルに要する容量が小さくて済ませて、動画の表示特性を改善することが可能な電
気光学装置、駆動回路、駆動方法および電子機器を提供することにある。
【課題を解決するための手段】
【０００７】
上記課題を解決するために本発明の電気光学装置は、複数の画素を有する電気光学装置
であって、供給された画像データと、当該画像データよりも１フレーム前の画像データと
に対応して応答補償データを記憶するルックアップテーブルと、前記画像データで指定さ
れる階調データとしての第１の画素信号と、前記応答補償データである第２の画素信号と
を切り替えて出力する画像データ切り替え回路と、を有し、前記画素に前記第１の画素信
号を供給されるフレーム期間以前のフレーム期間における所定の期間において前記第２の
画素信号が供給されることを特徴とする。
本発明によれば、オーバードライブする第２の画素信号が供給される期間が１フレーム
よりも短くて、第２の画素信号が液晶の応答変化を加速するだけに用いられ、表示階調は
もっぱら引き続いて供給される第１の画素信号のみが規定されるので、オーバードライブ
量の制御精度は粗であっても構わず、ルックアップテーブルの構成、個数を簡略、低減で
きる。
また、前記画像データ切り替え回路は、前記フレーム期間において１水平走査期間を２
つに分割した一方の選択期間において、前記第１の画像信号を出力し、他方の選択期間に
おいて前記第２の画像信号を出力してもよい。
また、前記画像データ切り替え回路は、前記フレーム期間中において、前記一方の選択
期間に前記第１の画像信号を出力した後に、前記他方の選択期間において前記第２の画像
信号を出力してもよい。
【０００８】
なお、本発明は、電気光学装置のみならず、駆動方法や当該電気光学装置を有する電子
機器としても概念することが可能である。
【発明を実施するための最良の形態】
【０００９】
以下、本発明の実施形態について図面を参照して説明する。図１は、本実施形態に係る
電気光学装置の構成を示すブロック図である。
この図に示されるように、電気光学装置１は、液晶表示パネル１０、タイミング制御回
路２０、フレームメモリ３０、ルックアップテーブル（ＬＵＴ）４０、データ信号変換回
路５０、画像データ切り替え回路６０、および画像データ遅延回路７０を含む。
【００１０】
このうち、液晶表示パネル１０は、図２に示されるように、表示領域１００の周辺に走
査線駆動回路１３０およびデータ線駆動回路１４０が配置した周辺回路内蔵型となってい
る。表示領域１００では、４８０行の走査線１１２が行（Ｘ）方向に延在するように、ま
た、６４０列のデータ線１１４が列（Ｙ）方向に延在するように、互いに電気的な絶縁を
保ちつつ設けられている。画素１１０は、４８０行の走査線１１２と６４０列のデータ線
１１４との交差に対応して、それぞれ配列している。したがって、本実施形態では、画素
１１０が縦４８０行×横６４０列でマトリクス状に配列することになるが、本発明をこの
配列に限定する趣旨ではない。
【００１１】
走査線駆動回路１３０は、本発明の特徴的な動作を行い、後述するタイミング制御回路
２０にしたがって１、２、３、…、４８０行目の走査線１１２にそれぞれ走査信号Ｇ１、
Ｇ２、Ｇ３、…、Ｇ４８０を供給するものであり、詳細には、図４に示されるように、１
、２、３、…、４８０行目の走査線１１２を１水平走査期間（Ｈ）毎に順番に選択してい
き、これを本選択とし、これに先立つある所定の時刻前にも当該行を選択し、これを先駆
選択とし、本選択した走査線に各１Ｈ期間の後半期間でＨレベルを、先駆選択した走査線
に各１Ｈ期間の前半期間でＨレベルを印加し、その他以外では走査線にＬレベルを、それ
ぞれ走査信号として供給するものである。
【００１２】
データ線駆動回路１４０は、サンプリング信号出力回路１４２と、データ線１１４毎に
設けられるＴＦＴ１４６とを有する。ここで、サンプリング信号出力回路１４２は、同図
に示されるように、走査線１１２が１行選択される毎に、タイミング制御回路２０にした
がって、順次排他的にＨレベルとなるサンプリング信号Ｓ１、Ｓ２、Ｓ３、…、Ｓ６４０
をそれぞれ出力するものである。
【００１３】
また、各列に設けられるＴＦＴ１４６は、そのドレインが列に対応するデータ線１１４
に接続される一方、そのソースが、データ信号Ｖｉｄが供給される画像信号線１７１に共
通接続され、そのゲートには、列に対応するサンプリング信号が供給される。
【００１４】
このため、ある行の走査線１１２が選択される１水平走査期間（Ｈ）にわたってサンプ
リング信号Ｓ１、Ｓ２、Ｓ３、…、Ｓ６４０がこの順番で排他的にＨレベルになると、１
、２、３、…、６４０列目のＴＦＴ１４６が順番にオンになる。
【００１５】
データ線駆動回路１４０は、同図に示されるように、走査線１１２が１行選択される毎
に、タイミング制御回路２０とにしたがって、データ信号Ｖｉｄに対応した当該選択行の
各画素に供給する画素信号を生成し、データ線１１４に出力する。
【００１６】
画素１１０の構成について図３を参照して説明する。図３は、画素１１０の電気的な構
成を示す図であり、ｉ行及びこれと１行下で隣接する（ｉ＋１）行と、ｊ列及びこれと１
列右で隣接する（ｊ＋１）列との交差に対応する２×２の計４画素分の構成を示している
。
【００１７】
なお、ｉ、（ｉ＋１）は、画素１１０が配列する行を一般的に示す場合の記号であって
、それぞれ１以上４８０以下の整数である。また、ｊ、（ｊ＋１）は、画素１１０が配列
する列を一般的に示す場合の記号であって、それぞれ１以上６４０以下の整数である。
【００１８】
図３に示されるように、各画素１１０は、ｎチャネル型の薄膜トランジスタ（thin fil
m transistor：以下単に「ＴＦＴ」と略称する）１１６と、液晶容量１２０と、を有する
。各画素１１０については互いに同一構成なので、ｉ行ｊ列に位置するもので代表して説
明すると、当該ｉ行ｊ列の画素１１０において、ＴＦＴ１１６のゲートはｉ行目の走査線
１１２に接続される一方、そのソースはｊ列目のデータ線１１４に接続され、そのドレイ
ンは液晶容量１２０の一端たる画素電極１１８に接続されている。また、液晶容量１２０
の他端は、すべての画素１１０にわたって共通のコモン電極１０８であり、時間的に一定
の電圧ＬＣｃｏｍが印加されている。
【００１９】
この液晶表示パネル１０は、特に図示しないが、素子基板と対向基板との一対の基板が
一定の間隙（セル厚）を保って貼り合わせられるとともに、この間隙に液晶が挟持された
構成となっている。このうち、素子基板には、走査線１１２や、データ線１１４、ＴＦＴ
１１６および画素電極１１８が形成される一方、対向基板にコモン電極１０８が形成され
て、これらの電極形成面が互いに対向するように貼り合わせられている。このため、液晶
容量１２０は、画素電極１１８とコモン電極１０８とによって液晶１０５を挟持した構成
となる。
【００２０】
なお、本実施形態では説明の便宜上、液晶容量１２０において保持される電圧実効値が
ゼロに近ければ、当該液晶容量を通過する光の透過率が最大となって白色表示になる一方
、電圧実効値が大きくなるにつれて透過する光量が減少して、ついには透過率が最小の黒
色表示になるノーマリーホワイトモードに設定されている。
【００２１】
この画素１１０において、走査線１１２にＨレベルの選択電圧を印加して、ＴＦＴ１１
６をオン（導通）させるとともに、画素電極１１８に、データ線１１４およびオン状態の
ＴＦＴ１１６を介して、階調（明るさ）に応じた電圧を印加することにより、当該液晶容
量１２０に、階調に応じた電圧実効値を保持させることができる。
【００２２】
なお、走査線１１２がＬレベルの非選択電圧になると、ＴＦＴ１１６がオフ（非導通）
状態となるが、このときのオフ抵抗が理想的な無限大とはならないので、液晶容量１２０
に蓄積された電荷が少なからずリークする。このリークの影響を少なくするために、蓄積
容量１０９が画素毎に形成されている。この蓄積容量１０９の一端は、画素電極１１８（
ＴＦＴ１１６のドレイン）に接続される一方、その他端は、全画素にわたって容量線１０
７に共通接続されている。この容量線１０７は、時間的に一定の電位、例えば接地電位Ｇ
ｎｄに保たれる。
【００２３】
説明を図１に戻すと、タイミング制御回路２０は、図示しない上位回路から供給される
垂直同期信号Ｖｓｙｎｃ、水平同期信号Ｈｓｙｎｃおよびクロック信号Ｄｃｌｋに同期し
て各部を制御するものである。
【００２４】
画像データＣｄは、本実施形態では画素１１０の階調を８ビットで指定するデジタルデ
ータであり、垂直同期信号Ｖｓｙｎｃで規定される１垂直走査期間（Ｆ）において、１行
１列から４８０行６４０列までの画素に対応して供給されるとともに、水平同期信号Ｈｓ
ｙｎｃで規定される１水平走査期間（Ｈ）において１行分の画素に対応したものが供給さ
れ、さらに、ドットクロックＤｃｌｋ毎に１画素分が供給される構成となっている。
【００２５】
ここで、タイミング制御回路２０は、走査線駆動回路１３０に対し、供給されているデ
ータ信号Ｖｉｄに対応する行の走査線１１２を、先駆又は本選択させるように、制御する
。
【００２６】
上位回路から供給される画像データＣｄは、画素の階調（イコール電圧）を指定するも
のであるが、画像データＣｄをなんら処理することなく、当該画像データＣｄで指定され
る階調に応じた電圧を、そのまま画素１１０（画素電極１１８）に印加する構成では、液
晶の応答性の低さゆえに動画表示特性が悪くなってしまう。
【００２７】
そこで、本実施形態では、ルックアップテーブル４０を用いて、画像データＣｄを１フ
レーム前の明るさ情報データＰｄと比較して、結果的に液晶の応答を加速する為の電圧補
償された画像データ（応答補償データ）Ｏｄに基づいた階調（電圧）を先駆選択期間に各
画素に供給し、１フレーム期間よりも短い時間（以降、これを補正期間と呼ぶ）を経て画
像データＣｄに基づいた階調（電圧）を本選択期間に各画素に供給して液晶表示パネル１
０を駆動する構成としている。なお、本選択期間に画像データＣｄに基づくデータ信号Ｖ
ｉｄを出力する為には、補正期間分だけ画像データＣｄを遅らせて出力する必要がある。
この遅らせる回路が画像データ遅延回路７０であって、遅らされて出力される信号を遅延
画像データＣdｄとなっている。
【００２８】
なお、本実施形態においてフレームとは、１画面を構成する画素１１０のすべてを順次
本選択して走査することをいい、フレーム期間とは、すべての画素１１０を走査するのに
要する期間、すなわち、１垂直走査期間（Ｆ）である。
【００２９】
また、応答補償データＯｄは精度の高いデータである必要はなく、例えば画像データＣ
ｄが１フレーム前の画像データＰｄよりも、明るいデータであれば応答補償データＯｄを
白データとし、暗ければ黒データとして良い。
【００３０】
フレームメモリ３０は、タイミング制御回路２０にしたがって、画像データＣｄの明る
さ特徴を格納するとともに、明るさ特徴データＰｄを読み出すものである。詳細には、フ
レームメモリ３０には、上位回路から供給された画像データＣｄの明るさが記憶されると
ともに、１垂直走査期間前に記憶された明るさ特徴データをＰｄとして読み出して出力す
るものである。
【００３１】
なお、画像データＣｄの明るさ特徴とは、例えば、デジタル的な画像データＣｄの上位
１又は２ｂｉｔ分でも良く、あるいは画像データの全数値範囲を区間区分し、各区分割り
当てに対応したデジタル的に表した数値であっても良い。
【００３２】
ルックアップテーブル４０は、画像データＣｄで指定される階調を、明るさ特徴データ
Ｐｄで指定される値に応じて応答補償し、画像データＯｄとして出力する二次元変換テー
ブルである。具体的には例えば本実施形態では、ルックアップテーブル４０は、本実施形
態では、単純に画像データＣｄが明るさ特徴データデータＰｄで示される階調よりも明る
いデータであれば、白データを、暗ければ黒データを出力する。
【００３３】
先駆選択期間では、この応答補償データをデータ信号変換回路５０で変換した画素デー
タＶｉｄが各画素に供給される。
【００３４】
即ち、ある画素が明るく変化する際に、先駆選択期間から次の本選択期間の期間には、
当該画素には「白」画素電圧を印加し、液晶が明るい方へ速く応答するように加速させ、
一方、暗く変化する際に、先駆選択期間から次の本選択期間の期間には、当該画素には「
黒」画素電圧を印加し、液晶が暗い方に速く応答するように加速させる。
【００３５】
画像データＣｄは、例えば８ビットであるが、フレームメモリ３０は明るさ情報のみを
格納すれば良いので、１画素あたり１、２ビットで良い。また、ルックアップテーブル４
０の出力する明るさ特徴データＰｄも、上述のような「白」、「黒」の２値情報あるいは
、これに「明るい階調」、「暗い階調」といったものを加えた、計４値情報程度の粗いも
ので良い。
【００３６】
データ信号変換回路５０は、先駆選択期間（１水平選択期間の前半）に対応してルック
アップテーブル４０から読み出された画像データＯｄと、本駆選択期間（１水平選択期間
の後半）に対応して画像データＣｄとを、データ線駆動回路１４０に供給し、各画素１１
０（画素電極１１８）に印加する。
【００３７】
図４は走査線１１２の信号とデータ信号Ｖｉｄをタイミングを示す図である。
図のＶｉｄのクロスハッチングした部分は、各行の先駆選択期間に対応し、当該行の各
々の列に対応した画素に供給する電圧Ｖｉｄは応答補正データＯｄに基づくものとなって
いることを示し、ハッチングの無い部分は、各行の本駆選択期間に対応し、当該行の各々
の列に対応した画素に供給する電圧Ｖｉｄは遅延画像データＣｄｄに基づくものとなって
いることを示している。この応答補正データＯｄと遅延画像データＣｄｄの切り替えを画
像データ切り替え回路６０が行う。
【００３８】
また、本実施例では、各行の先駆選択期間と本選択期間の間は２Ｈとなっているがこれ
に限定するものではなく、例えば１０ないし２０Ｈ程度に設定しても良い。これの最適設
定値は液晶の電気光学特性に依存するので、例えば実験的に求めれば良い。
【００３９】
なお、本実施形態においては、特に図示しないが、走査線毎にデータ信号の極性を反転
させた行（ライン）反転方式とするが、１フレーム走査線毎にデータ信号の極性を反転さ
せた面（フレーム）反転方式や、列反転や、ドット反転としても良い。
【００４０】
次に、本実施形態に係る電気光学装置１の動作について説明する。この電気光学装置１
は、オーバードライブにより液晶の低応答性を補償するものであるが、その特徴部分は、
オーバードライブ電圧の印加タイミングである。
【００４１】
まず、図５は画素にオーバードライブ電圧を印加するタイミングを示す模式図である。
ここで、比較のために同図（ａ）はオーバードライブを行わない場合の画素電圧、同図
（ｂ）は従来技術のオーバードライブを行った場合の画素電圧、同図（ｃ）は本実施形態
のオーバードライブを行った場合のある１画素電圧を示す。なお、画素電圧は一般に書き
込み毎に極性を反転させるが、図を簡単にするために画素電圧の絶対値で示してある。
【００４２】
オーバードライブを行わない場合には、図５（ａ）に示されるように、表示階調が変化
して画素の電圧（絶対値）が変化する場合、変化後の表示階調に対応した画素電圧が印加
し続ける（右上がりのハッチング）。
【００４３】
次に従来技術のオーバードライブを行う場合には、図５（ｂ）に示されるように、表示
階調が変化して画素の電圧（絶対値）が変化する場合、変化後の１フレーム期間だけ表示
階調に対応した画素電圧に補償された電圧（クロスハッチングで示す）が重畳し、続く２
フレーム以降は、変化後の表示階調に対応した画素電圧が印加し続ける。
【００４４】
そして本実施形態の場合には、図５（ｃ）に示されるように、表示階調が変化して画素
の電圧（絶対値）が変化する場合、変化前の所定期間だけ大きな補償電圧（クロスハッチ
ングで示す）が印加し、その後の１フレーム以降は、変化後の表示階調に対応した画素電
圧が印加し続ける。
【００４５】
よって、図５（ｂ）に示される従来技術のオーバードライブの場合、補正電圧が１フレ
ーム期間中重畳することになり、補正電圧が多すぎると応答に飛び跳ね（オーバシュート
）が発生し、例えば動画表示に擬似輪郭を発生させ、少ないと表示ぼやけが解消されない
。
【００４６】
したがって、重畳する補正電圧を適切に制御しなければならないが、図５（ｃ）に示さ
れる本実施形態の場合には、表示階調変化による画素電圧の変化の手前で、大きな補償電
圧が印加する。この大きな補償電圧は液晶の電気光学応答を加速させるのに寄与して、光
学応答を速くする。一方、この大きな補償電圧が印加する期間は短いために、人間の明暗
知覚には寄与せず、寄与するのは１フレーム以降の補正電圧の重畳していない画素電圧だ
けとなる。言い換えれば、この電圧で明るさが規定される。
【００４７】
本実施形態によれば、本実施形態の補償電圧が少し大きすぎたとしても、オーバシュー
トは発生せず、したがって幾分、補償電圧を大きめに設定しておくことも可能で、低温時
の応答速度も向上させることができる。
【００４８】
以上のように、表示階調変化による画素電圧の変化の手前で粗い補償電圧を印加する構
成とすることで、粗い精度の応答補償で間に合うようになって、ルックアップテーブル４
０の個数や回路規模を低減することが可能となり、温度毎の複数のルックアップテーブル
を用意しなくても済む。又更にフレームメモリ３０の各画素に対応するメモリのビット数
も低減することが可能となる。
【００４９】
上述した実施形態では、当該走査線に位置する１列〜４８０列の画素に対応する画素信
号を順番に供給する、いわゆる点順次駆動としたが、ある１行の走査線１１２に対応する
走査信号がＨレベルとなったときに、すべてのデータ線１１４に対しデータ信号を一括し
て供給する、いわゆる線順次駆動としても良く、データ信号を時間軸にｎ（ｎは２以上の
整数）倍に伸長するとともに、ｎ本の画像信号線に供給する、いわゆる相展開（シリアル
−パラレル変換ともいう）駆動を併用した構成としても良い。
【００５０】
さらに、実施形態では、電圧無印加状態において白色を表示するノーマリーホワイトモ
ードとしたが、電圧無印加状態において黒色を表示するノーマリーブラックモードとして
も良い。また、Ｒ（赤）、Ｇ（緑）、Ｂ（青）の３画素で１ドットを構成して、カラー表
示を行うとしても良い。表示領域１００は透過型に限られず、反射型や、両者の中間的な
半透過半反射型であっても良い。
【００５１】
また、本発明は、液晶に限られず、電気的な変化に対して光学的な応答速度が低い電気
光学材料を用いて表示を行う構成のすべてに適用可能である。
【００５２】
次に、上述した実施形態に係る電気光学装置１を有する電子機器について説明する。図
６は、実施形態に係る電気光学装置１を用いた携帯電話１２００の構成を示す図である。
この図に示されるように、携帯電話１２００は、複数の操作ボタン１２０２のほか、受
話口１２０４、送話口１２０６とともに、上述した電気光学装置１を備えるものである。
なお、電気光学装置１のうち、表示領域１００以外の構成要素については、携帯電話１２
００に内蔵されるので、外観としては現れない。
【００５３】
なお、電気光学装置１が適用される電子機器としては、図６に示される携帯電話の他に
も、デジタルスチルカメラや、ノートパソコン、液晶テレビ、ビューファインダ型（また
はモニタ直視型）のビデオレコーダ、カーナビゲーション装置、ページャ、電子手帳、電
卓、ワードプロセッサ、ワークステーション、テレビ電話、ＰＯＳ端末、タッチパネルを
備えた機器等などが挙げられる。そして、これらの各種電子機器の表示装置として、上述
した電気光学装置１が適用可能であることは言うまでもない。
【図面の簡単な説明】
【００５４】
【図１】本発明の実施形態に係る電気光学装置の構成を示すブロック図。
【図２】同電気光学装置における液晶表示パネルの構成を示す図。
【図３】同液晶表示パネルにおける画素の構成を示す図。
【図４】同電気光学装置の動作を説明するための図。
【図５】画素にオーバードライブ電圧を印加するタイミングを示す模式図。
【図６】同電気光学装置を適用した電子機器の一例たる携帯電話を示す図。
【符号の説明】
【００５５】
１…電気光学装置、１０…液晶表示パネル、２０…タイミング制御回路、３０…フレー
ムメモリ、４０…ルックアップテーブル、５０…データ信号変換回路、６０…データ切り
替え回路、７０…画像データ遅延回路、１００…表示領域、１１２…走査線、１１４…デ
ータ線、１１６…ＴＦＴ、１１８…画素電極、１２０…液晶容量、１３０…走査線駆動回
路、１４０…データ線駆動回路、１２００…携帯電話。
【図１】
2007316380.tif 000003
【図２】
2007316380.tif 000004
【図３】
2007316380.tif 000005
【図４】
2007316380.tif 000006
【図５】
2007316380.tif 000007
【図６】
2007316380.tif 000008